(57)【要約】【課題】  光部品を簡易に固定することで、作業時間の短縮を図るとともに、構造を単純化することでコストの低減を図る。【解決手段】  光部品２の側面が当接される光部品当接面２４を有する固定床部２１に突設された複数の取付壁２２同士の間に、前記光部品２が前記固定床部２１の前記光部品当接面２４に沿った方向の移動によって挿入される光部品挿入空間２５が確保されており、前記光部品挿入空間２５に前記光部品２を挿入することで、前記光部品２が前記光部品当接面２４上に配置されるとともに、前記光部品２の両側部に突設されているバネ部４３が両側の前記取付壁２２に係合して前記光部品２の前記光部品挿入空間２５に対する挿脱方向の移動が規制され、しかも、前記光部品２の両側部の前記バネ部４３が前記取付壁２２に突設されている押さえ片２３によって前記固定床部２１に向けて押さえ込まれようになっている。【選択図】    図３
2005157102.tif 000002
【特許請求の範囲】
【請求項１】
光部品（２）の側面が当接される光部品当接面（２４）を有する固定床部（２１）に突設された複数の取付壁（２２）同士の間に、前記光部品が前記固定床部の前記光部品当接面に沿った方向の移動によって挿入される光部品挿入空間（２５）が確保されており、
前記光部品挿入空間に前記光部品を挿入することで、前記光部品が前記光部品当接面上に配置されるとともに、前記光部品の両側部に突設されているバネ部（４３）が両側の前記取付壁に係合して前記光部品の前記光部品挿入空間に対する挿脱方向の移動が規制され、しかも、前記光部品の両側部の前記バネ部が前記取付壁に突設されている押さえ片（２３）によって前記固定床部に向けて押さえ込まれようになっていることを特徴とする光部品の固定構造（１５）。
【請求項２】
前記光部品の両側部には、前記光部品挿入空間を介して両側の取付壁に当接されるストッパ突片（３４）と、前記バネ部とが突設されており、
前記バネ部は、前記光部品の前記光部品挿入空間への挿入によって前記一対の取付壁を通過させることで前記取付壁に係合されるようになっており、
前記取付壁に係合された前記バネ部と、前記バネ部とは逆の側から前記取付壁に当接される前記ストッパ突片との間に前記取付壁が保持されるようになっていることを特徴とする請求項１記載の光部品の固定構造。
【請求項３】
前記光部品が、光コネクタ（１２）が挿入接続される光コネクタハウジングであることを特徴とする請求項１または２記載の光部品の固定構造。
【請求項４】
光部品が搭載される光ファイバ用トレイ（１）であって、
前記光部品の側面が当接される光部品当接面を有する固定床部に突設された複数の取付壁同士の間に、前記光部品が前記固定床部の前記光部品当接面に沿った方向の移動によって挿入される光部品挿入空間が確保されており、
前記光部品挿入空間に光部品を挿入することで、前記光部品が前記光部品当接面上に配置されるとともに、前記光部品の両側部に突設されているバネ部が両側の前記取付壁に係合して前記光部品の前記光部品挿入空間に対する挿脱方向の移動が規制され、しかも、前記光部品の両側部の前記バネ部が前記取付壁に突設されている押さえ片によって前記固定床部に向けて押さえ込まれようになっていることを特徴とする光ファイバ用トレイ。
【請求項５】
光部品の側面が当接される光部品当接面を有する固定台部と、この固定台部に突設された複数の取付壁とを有し、
隣り合う取付壁の間には、前記光部品が前記固定台部の前記光部品当接面に沿った方向の移動によって挿入される光部品挿入空間が確保されており、
前記光部品挿入空間に前記光部品を挿入することで、前記光部品が前記光部品当接面上に配置されるとともに、前記光部品の両側部に突設されているバネ部が両側の前記取付壁に係合して前記光部品の前記光部品挿入空間に対する挿脱方向の移動が規制され、しかも、前記光部品の両側部の前記バネ部が前記取付壁に突設されている押さえ片によって前記固定台部に向けて押さえ込まれようになっていることを特徴とする光部品用ホルダ。
【発明の詳細な説明】
【技術分野】
【０００１】
本発明は、光部品の固定構造、光部品用ホルダ、光配線盤や光接続箱などの光接続ユニット等に適用される光ファイバ用トレイに関する。
【背景技術】
【０００２】
例えば、光ファイバケーブルを光ファイバ心線へ分岐接続するには、多数の光ファイバを成端して群構成とする光配線盤が一般的に使用される。この光配線盤としては、引き出し自在な光ファイバ用トレイが収納部に多段に収納された構成になっているものが多用されている（例えば、特許文献１参照。）。前記光ファイバ用トレイは、光ファイバ同士の光接続部（コネクタ接続部、融着接続部等）を収納するが、さらに、光スプリッタ等の光部品を収納する場合もある。この光ファイバ用トレイに収納される光部品を光ファイバ用トレイに固定する構造としては種々のものがある。例えば、光配線盤に配線される光ファイバ同士のコネクタ接続に用いられる光コネクタアダプタ（光コネクタハウジング）を光ファイバ用トレイに固定する構造としては、（Ａ）ネジ止め方式のものと、（Ｂ）ゴム等の弾性部材により形成されたホルダに光コネクタアダプタを差し込み固定する構造のもの（特許文献１記載のもの。以下、弾性ホルダ方式）が一般的である。
【０００３】
（Ａ）のネジ止め方式は、図６に示すように、光ファイバ用トレイ１０１の底板１０２上に立設されている取付板１０３に光コネクタアダプタ１０４がネジ止め固定されている構造になっている。
（Ｂ）の弾性ホルダ方式は、図７に示すように、光コネクタアダプタ１１１を嵌め込むためのアダプタ嵌込溝１１２が形成されたゴム製のホルダ１００を用いるものであって、光ファイバ用トレイ１１３の底板１１４上に固定しておいたホルダ１１０のアダプタ嵌込溝１１２に光コネクタアダプタ１１１を嵌め込み、ホルダ１１０の弾性力により光コネクタアダプタ１１１を固定する。
【特許文献１】特開平９−１５９８４１号公報
【発明の開示】
【発明が解決しようとする課題】
【０００４】
しかしながら、（Ａ）のネジ止め方式では、以下のような問題があった。
（ａ）すべての光コネクタアダプタ１０４についてネジ止め固定しなければならないため、光コネクタアダプタ１０４の数が多いと、作業に時間がかかるといった不満がある。
（ｂ）この方式の固定構造は、光ファイバ用トレイ１０１への固定を完了した取付板１０３に光コネクタアダプタ１０４を手工具（ドライバ等）を用いてネジ止めする場合の作業性が悪い。すなわち、光ファイバ用トレイ１０１に固定済みの取付板１０３に光コネクタアダプタ１０４をネジ止めする場合、手工具を操作するスペースが非常に狭いため手工具でネジを回転してネジ止めするのが非常に困難であり、たとえネジ固定できたとしても、非常に時間がかかり、作業者の手間となってしまう。
（ｃ）前述の（ｂ）の問題に鑑みてこの方式では、予め、光コネクタアダプタ１０４をネジ止めしておいた取付板１０３を光ファイバ用トレイ１０１にネジ止めなどによって固定することが多い。しかし、光ファイバ用トレイ１０１に取付板１０３を取り付けた後は、光コネクタアダプタ１０４の増設は困難である。また、光ファイバ用トレイ１０１に実装した光コネクタアダプタ１０４を利用して光ファイバ同士の接続などを行った後に取付板１０３を取り外そうとすると、光コネクタアダプタ１０４に光コネクタによって接続されている光ファイバが移動されてしまい通信に影響を与える可能性がある。なお、取付板１０３を光ファイバ用トレイ１０１に取り付けたまま光コネクタアダプタ１０４を増設しようとすると、手工具を操作するための作業スペースが確保できないため作業性が悪い。
【０００５】
また、（Ｂ）の弾性ホルダ方式では、以下のような問題があった。
（ａ）ホルダ１１０を作成するための金型が必要となり、コストが高く付く。
（ｂ）ホルダ１１０は、光ファイバ用トレイ１１３の底板１１４に当接される底面とは逆の上面１１５側に開口されているアダプタ嵌込溝１１２に光コネクタアダプタ１１１を押し込む構造であるが、アダプタ嵌込溝１１２は、ホルダ１１０の底面に貫通しているわけではなく、ホルダ１１０の底面側には、プレート状の台座部１１６が存在する。このため、光ファイバ用トレイ１１３の底板１１４に取り付けたホルダ１１０に光コネクタアダプタ１１１を嵌め込むと、前記台座部１１６の厚み分だけ光コネクタアダプタ１１１の位置が高くなってしまう。その結果、光ファイバ用トレイ１１３の厚さの増大や、多段の配列（積層）ピッチの拡大の原因になってしまう。
【０００６】
この発明は、このような事情を考慮してなされたもので、その目的は、光部品を簡易に固定することで、作業時間の短縮を図るとともに、構造を単純化することでコストの低減を図る光部品の固定構造を提供することにある。
【課題を解決するための手段】
【０００７】
上記目的を達成するために、この発明は以下の手段を提案している。
請求項１に係る発明は、光部品の側面が当接される光部品当接面を有する固定床部に突設された複数の取付壁同士の間に、前記光部品が前記固定床部の前記光部品当接面に沿った方向の移動によって挿入される光部品挿入空間が確保されており、前記光部品挿入空間に前記光部品を挿入することで、前記光部品が前記光部品当接面上に配置されるとともに、前記光部品の両側部に突設されているバネ部が両側の前記取付壁に係合して前記光部品の前記光部品挿入空間に対する挿脱方向の移動が規制され、しかも、前記光部品の両側部の前記バネ部が前記取付壁の側部に突設されている押さえ片によって前記固定床部に向けて押さえ込まれようになっていることを特徴とする光部品の固定構造である。
請求項２に係る発明は、前記光部品の両側部には、前記光部品挿入空間を介して両側の取付壁に当接されるストッパ突片と、前記バネ部とが突設されており、前記バネ部は、前記光部品の前記光部品挿入空間への挿入によって前記一対の取付壁を通過させることで前記取付壁に係合されるようになっており、前記取付壁に係合された前記バネ部と、前記バネ部とは逆の側から前記取付壁に当接される前記ストッパ突片との間に前記取付壁が保持されるようになっていることを特徴とする光部品の固定構造である。
請求項３に係る発明は、前記光部品が、光コネクタが挿入接続される光コネクタハウジングであることを特徴とする光部品の固定構造である。
請求項４に係る発明は、光部品が搭載される光ファイバ用トレイであって、前記光部品の側面が当接される光部品当接面を有する固定床部に突設された複数の取付壁同士の間に、前記光部品が前記固定床部の前記光部品当接面に沿った方向の移動によって挿入される光部品挿入空間が確保されており、前記光部品挿入空間に光部品を挿入することで、前記光部品が前記光部品当接面上に配置されるとともに、前記光部品の両側部に突設されているバネ部が両側の前記取付壁に係合して前記光部品の前記光部品挿入空間に対する挿脱方向の移動が規制され、しかも、前記光部品の両側部の前記バネ部が前記取付壁に突設されている押さえ片によって前記固定床部に向けて押さえ込まれようになっていることを特徴とする光ファイバ用トレイである。
請求項５に係る発明は、光部品の側面が当接される光部品当接面を有する固定台部と、この固定台部に突設された複数の取付壁とを有し、隣り合う取付壁の間には、前記光部品が前記固定台部の前記光部品当接面に沿った方向の移動によって挿入される光部品挿入空間が確保されており、前記光部品挿入空間に前記光部品を挿入することで、前記光部品が前記光部品当接面上に配置されるとともに、前記光部品の両側部に突設されているバネ部が両側の前記取付壁に係合して前記光部品の前記光部品挿入空間に対する挿脱方向の移動が規制され、しかも、前記光部品の両側部の前記バネ部が前記取付壁に突設されている押さえ片によって前記固定台部に向けて押さえ込まれようになっていることを特徴とする光部品用ホルダである。
なお、光部品用ホルダは、これ自体が本発明に係る光部品の固定構造を構成する。光部品用ホルダの固定台部は、光部品の固定構造の固定床部として機能できる。
【発明の効果】
【０００８】
本発明によれば、光部品の両側部に突設されているバネ部が取付壁の側部に突設されている押さえ片によって、固定床部に向けて押さえ込まれることにより、光部品を上下方向にガタつくことなく固定床部に押さえ込むことができる。これにより、光部品を取付壁及び固定床部（あるいは固定台部）に固定できる。また、光部品を取付壁の間に差し込むだけで固定することができるので、光部品の固定作業を簡易に行うことができるとともに、固定作業時間を短縮することができる。また、極めて簡単な構造により、光部品を固定できるので、構成部品の低コスト化を容易に実現できる。
従来のゴム製ホルダを用いる場合のように、このゴム製ホルダを作成するために必要な金型を作成するための手間やコストがかからない。
【発明を実施するための最良の形態】
【０００９】
以下、図面を参照し、この発明の実施の形態について説明する。
図１から図５はこの発明の一実施の形態を示す図であり、この発明を光配線盤や光接続箱等の光接続ユニットに搭載される光ファイバ用トレイ１に適用した場合のものである。図１は光ファイバ用トレイの概略構成を示す平面図、図２は図１の光ファイバ用トレイに取り付けられた光部品用ホルダの取付壁付近を示す斜視図、図３は図２における取付壁に光部品を差し込んだ場合を示す斜視図、図４は光部品を取付壁に取り付けた場合の斜視図、図５は光部品を取付壁に取り付ける場合の側面図であって、（ａ）は取り付け前を示す側面図、（ｂ）は取り付けた場合を示す側面図である。
【００１０】
この光ファイバ用トレイ１は、各種の光配線盤や光接続箱に用いることができ、その用途に応じて光ファイバの他、光コネクタハウジングである光コネクタアダプタ、光コネクタ、光カプラ、光スプリッタ、光接続部、余長収納ケース等の各種部材などが収納されるものである。図１に示すように、光ファイバ用トレイ１は、光部品としての光コネクタアダプタ２を取り付けるためのコネクタ取付部６を有している。前記コネクタ取付部６は、図示例の実施形態では、光ファイバ用トレイ１の基板部３上に取り付けられた光部品用ホルダ１５である。光部品用ホルダ１５は、光コネクタアダプタ２を固定するためのコネクタホルダとして機能するものである。以下、光部品用ホルダをコネクタホルダと称して説明する場合がある。前記コネクタホルダ１５は、細長形状の部材であり、この実施形態では、一枚の金属板を折曲加工した一部品になっている。このコネクタホルダ１５は、基板部３に例えばネジ１６のネジ止めの固定手段などによって取り付けられる。図１では、コネクタホルダ１５を、基板部３において、光ファイバ用トレイ１の引き出し方向（図１において上側から下側に向かう方向）と直交する方向の中央部にて、前記引き出し方向に沿わせるようにして取り付けている。但し、光ファイバ用トレイ１におけるコネクタホルダ１５の取り付け位置、取り付け向きには、特に限定は無く、適宜変更可能である。また、コネクタホルダ１５は、細長形状である必要は無く、さまざまな形状を採用できる。なお、コネクタホルダ１５を基板部３に取り付ける手法としては、ネジ１６で固定するネジ止めを例示しているが、これに限定されず、例えば、接着剤による接着、両面テープによる接着、基板部３に突設した係合爪との係合、コネクタホルダ１５の固定台部２１の底面に突設した嵌合突起を基板部３に形成した係合穴に嵌め込む嵌合固定など、各種採用可能である。
【００１１】
光ファイバ用トレイ１は、基板部３と、この基板部３の側縁部４を囲むように上方に向けて形成された周壁部５と、矩形状に形成された開口部１１とを有しており、光配線盤や光接続箱等の光接続ユニットに、横置き、すなわち、基板部３が水平（あるいは略水平）となる向きで搭載される。
開口部１１は、光コネクタアダプタ２に対する光コネクタ１２Ａの挿脱作業（この実施の形態において光コネクタアダプタ２は、上下２段とされており、特に上下２段のうち下段の光コネクタアダプタ２に対する光コネクタ１２Ａの挿脱作業）を容易にするためのものである。なお、開口部１１は、図示例では、コネクタ取付部６の片側のみに形成しているが、コネクタ取付部６を挟んで両側に形成しても良い。
光ファイバ用トレイ１には、光ファイバ７をクランプ固定するクランプ固定部８がコネクタ取付部６を介して両側となる位置に設けられている。クランプ固定部８は、光ファイバ用トレイ１において、光ファイバ用トレイ１の内外にわたって配線される光ファイバ７を通すためのゲートとしての機能も果たすものであり、複数本の光ファイバ７をクランプ固定して束ねることができる。
【００１２】
このコネクタホルダ１５には、該コネクタホルダ１５の長手方向の複数箇所に光コネクタアダプタ２を取り付けることができる。光コネクタアダプタ２は、光ファイバ用トレイ１の基板部３上に複数段（本実施の形態では２段）に実装することができる。なお、本実施の形態では、光コネクタアダプタ２を２段に積層したが、これに限るものではなく、例えば、１段のみであっても良く、また、３段以上であっても良い。光ファイバ用トレイ１のコネクタ取付部６に取り付けた光コネクタアダプタ２は、コネクタ取付部６を介して光コネクタ１２Ａ側（図１左側）のクランプ固定部８（ゲート）を介して光ファイバ用トレイ１に引き込まれた光ファイバ７と、他側（図１右側）のクランプ固定部８（ゲート）を介して光ファイバ用トレイ１に引き込まれた光ファイバ７とをコネクタ接続するものであり、光ファイバ７先端に組み立てられた光コネクタ１２が両側から挿入されて、内部で接続されるようになっている。なお、前述した符号１２Ａの光コネクタは、コネクタ取付部６の光コネクタアダプタ２にて接続される対を構成する光コネクタ１２の片方である。また、この光コネクタ１２Ａがコネクタ接続可能に成端する光ファイバ７（他側の光ファイバ）は、例えば、いわゆるジャンパコード等であり、光コネクタアダプタ２を介して複数本の光ファイバ７に対して切り替え可能に接続される。
符号Ａは、光減衰器であり、図示例では、光コネクタ１２Ａと光コネクタアダプタ２との間に光減衰器Ａが介在されるようになっているが、光減衰器Ａは適宜必要に応じて設けられるものであり、省略することも可能である。
【００１３】
図２に示すように、このコネクタホルダ１５は、図３に示す光コネクタアダプタ２の底面が当接される固定台部２１と、この固定台部２１から突設された複数の取付壁２２と、この取付壁２２の上端より図１に示す開口部１１と対向する側（図２においては取付壁２２から固定台部２１側に向かう方向）に向けて突設されている押さえ片２３とから構成されている。この実施の形態では、取付壁２２及び押さえ片２３は、固定台部２１より折り返されて形成されているものであって、一体の部材により形成されている。なお、本発明の取付壁２２及び押さえ片２３は、一体の部材を折り返したものに限るものではなく、固定台部２１に接着剤やネジ止めなどにより取り付けたものであってもよい。また、本実施の形態においては、本発明を金属製の板部材とされたコネクタホルダ１５に適用したものであったが、これに限るものではなく、例えば、樹脂などにより、固定台部２１、取付壁２２、押さえ片２３等を一体成形したものであってもよい。
【００１４】
固定台部２１には、光コネクタアダプタ２の底面が当接される面が光部品当接面２４とされている。取付壁２２の間には、光コネクタアダプタ２が基板部３の光部品当接面２４に沿った方向の移動によって挿入される光部品挿入空間２５が確保されている。押さえ片２３の高さは、後述する光コネクタアダプタ２が２段積層された際に、上段にバネ部４３の上部と略同じ高さとされている。これにより、押さえ片２３は、積層された光コネクタアダプタ２のバネ部４３を固定台部２１に向けて押さえ込み、積層された光コネクタアダプタ２の上下方向の移動を規制するものである。
【００１５】
この光コネクタアダプタ２は、全体がプラスチック等の合成樹脂製であり、内部を貫通するコネクタ穴３１を有するスリーブ状の概略構造に形成されている。この光コネクタアダプタ２は、一対のハウジング半体３２，３３を接合、一体化して組み立てられる。一対のハウジング半体３２，３３は、例えばプラスチック等の合成樹脂によって形成されている。そして、光コネクタアダプタ２は、一対のハウジング半体３２，３３を軸方向に直列に接合、一体化して組み立てられるようになっている。一対のハウジング半体３２，３３は、ストッパ突片３４，３５が形成されている側の端部同士を接合して一体化されるようになっており、各ハウジング半体３２，３３のストッパ突片３４，３５同士の重ね合わせによって光コネクタアダプタ２が組み立てられる。
【００１６】
符号４１は、カバープレートであって、このカバープレート４１は、ハウジング半体３２の断面長方形状の４側面（周面）の内の３面に対して個別に装着される３つの側板部４２を有し、全体がステンレス等の導電性の金属板で形成され、ハウジング半体３２を３方から取り囲むカバー状の部材である。このカバープレート４１の対向する両側に位置する側板部４２から外側に突設されているバネ部４３は、光コネクタアダプタ２を光部品挿入空間２５に挿入したときに、光部品挿入空間２５の隣り合う取付壁２２に係合して、取付壁２２からの光コネクタアダプタ２の挿入方向の離脱を防止する機能を果たす。
このバネ部４３は、側板部４２の一部を外側に突出するように成形した部分であり、ハウジング半体３２のコネクタ穴３１の開口側３１Ａから、この開口側３１Ａから遠い側に行くにしたがって、ハウジング半体３２外側への突出量が次第に増大するように形成されている。なお、この実施の形態において、バネ部４３は、光コネクタアダプタ２と別部材とされているがこれに限るものでなく、ハウジング半体３２と一体とされていてもよい。
【００１７】
光コネクタアダプタ２に接続される光コネクタ１２としては、例えばＳＣ形光コネクタ（ＪＩＳ Ｃ ５９７３に制定されるもの等。ＳＣ：Single fiber Coupling optical fiber connector）、ＳＣ２形光コネクタ、ＭＵ形光コネクタ（ＪＩＳ Ｃ ５９８３に制定されるもの等。ＭＵ：Miniature-Unit coupling optical fiber connector）、ＭＴ形光コネクタ（ＪＩＳ Ｃ ５９８１等に制定されるもの等。ＭＴ：Mechanically Transferable）等が採用される。また光コネクタアダプタ２は、使用する光コネクタ１２を接続可能なものが採用される。
なお、本発明において「光コネクタアダプタ」は、光コネクタプラグ同士を中継し、内部にて両光コネクタプラグが位置決め接続される光接続機器をいい、ここに例示した光コネクタアダプタのほか、光コネクタレセプタクル等、光コネクタ（光コネクタアダプタ）が挿入接続される、各種雌型の光コネクタを指す。
【００１８】
上記の構造の光コネクタアダプタ２をコネクタホルダ１５に取付けるには、はじめにコネクタホルダ１５を光ファイバ用トレイ１の基板部３に取り付けておく。すなわち、図１に示すように、基板部３にコネクタホルダ１５をネジ１６によるネジ止めによって固定する。
そうしておいて、コネクタホルダ１５に、光コネクタアダプタ２を取り付ける。すなわち、図３及び図５（ａ）に示すように、予め積層しておいた光コネクタアダプタ２を、取付壁２２の間に確保している光部品挿入空間２５に挿入（図５（ａ）において矢印Ａ方向に挿入）する。このとき、積層している光コネクタアダプタ２のうち下段の光コネクタアダプタ２の底面が固定台部２１の光部品当接面２４と当接する。なお、本実施の形態では、予め積層した光コネクタアダプタ２を光部品挿入空間２５に挿入したが、これに限るものではなく、例えば、下段の光コネクタアダプタ２を予め光部品挿入空間２５に挿入して取付壁２２の間に固定し、その後に上段の光コネクタアダプタ２を、下段の光コネクタアダプタ２に載上して光部品挿入空間２５に挿入する方法であってもよい。また、光コネクタアダプタ２を１つしか必要としない場合などにおいては、上段又は下段の光コネクタアダプタ２をスペーサ等に置き換えてもよい。これにより、光コネクタアダプタ２を１つのみ固定することができる。
【００１９】
図４及び図５（ｂ）に示すようにストッパ突片３４と取付壁２２とが当接することにより、光コネクタアダプタ２の挿入方向（図５（ａ）における矢印Ａ方向）の移動を規制する。このとき、光コネクタアダプタ２のバネ部４３が、光コネクタアダプタ２の両側の取付壁２２と係合する。つまり、取付壁２２がバネ部４３の付勢力によりストッパ突片３４に押さえ込まれる。これにより、光コネクタアダプタ２の挿脱方向の移動を規制する。
また、このとき、取付壁２２から突出している押さえ片２３が、バネ部４３を押さえ込む。つまり、積層した光コネクタアダプタ２のうち、上段の光コネクタアダプタ２のバネ部４３が押さえ片２３により固定台部２１に向けて押さえ込まれるようになっている。これにより、光コネクタアダプタ２の上下方向の移動を規制する。これにより、光コネクタアダプタ２は、コネクタホルダ１５に固定される。
【００２０】
上記の構成によれば、光コネクタアダプタ２の両側部に突設されているバネ部４３が、取付壁２２に突設されている押さえ片２３に、固定台部２１に向けて押さえ込まれることにより、光コネクタアダプタ２をガタつくことなく固定台部２１に押さえ込まれるので、光コネクタアダプタ２を確実に固定することができる。また、光コネクタアダプタ２を取付壁２２の間の光部品挿入空間２５に差し込むだけで固定することができるので、固定作業の手間がかからない。また、取付時に別部品を必要としないので、固定作業を簡単に行うことができる。また、この実施の形態では、一体の部材を折り返して取付壁２２と押さえ片２３を形成しているので、従来のように、ゴム製ホルダを作成するために必要な金型を作成するための手間やコストがかからない。また、押さえ片２３の高さは、光コネクタアダプタ２のバネ部４３と略同じ高さであるため、コネクタホルダ１５の高さを光コネクタアダプタ２の高さよりも低くすることができる。従って、光ファイバ用トレイ１にコネクタホルダ１５を設置しても高さを必要としない。この結果、光ファイバ用トレイ１の高さを低くすることができる。さらに、一つ一つの光コネクタアダプタ２をホルダにネジ止め作業を行う必要が無いので、手間がかからず、固定作業時間を短縮することができる。
なお、本実施の形態では、光コネクタアダプタ２のバネ部４３が取付壁２２に突設されている押さえ片２３に固定台部２１に向けて押さえ込まれることにより、光コネクタアダプタ２を固定していたものであったが、これに限るものではなく、例えば、基板部３から直接突設された取付壁に突設されている押さえ片によって基板部に向けて押さえ込まれることにより、光コネクタアダプタ２を固定しても良い。
【図面の簡単な説明】
【００２１】
【図１】光部品の固定構造の概略構成を示す平面図である。
【図２】図１における取付壁付近を示す斜視図である。
【図３】図２における取付壁に光部品を差し込んだ場合を示す斜視図である。
【図４】光部品を取付壁に取り付けた場合の斜視図である。
【図５】光部品を取付壁に取り付ける場合の側面図であって、（ａ）は取り付け前を示す側面図、（ｂ）は取り付けた場合を示す側面図である。
【図６】従来のネジ止め方式の光部品の固定構造を示す斜視図である。
【図７】従来の弾性ホルダ方式の光部品の固定構造を示す斜視図である。
【符号の説明】
【００２２】
１…光ファイバ用トレイ、２…光部品（光コネクタハウジング）、１２…光コネクタ、１５…光部品の固定構造（光部品用ホルダ）、２１…固定床部（固定台部）、２２…取付壁、２３…押さえ片、２４…光部品当接面、２５…光部品挿入空間、３４…ストッパ突片、４３…バネ部
【図１】
2005157102.tif 000003
【図２】
2005157102.tif 000004
【図３】
2005157102.tif 000005
【図４】
2005157102.tif 000006
【図５】
2005157102.tif 000007
【図６】
2005157102.tif 000008
【図７】
2005157102.tif 000009